(57)【要約】【課題】建築物の断面も正確に作図することができるようにする。【解決手段】通り芯・階床設定受付部１により設定が受け付けられた階床に対応する２次元平面図データを取り込む２Ｄ平面図データ取込部５と、階高設定受付部２により設定が受け付けられた階高に対応する２次元断面図データを取り込む２Ｄ断面図データ取込部７とを設け、３Ｄ図面データ作成部１０が通り芯・階床設定受付部１により設定が受け付けられた通り芯を基準にして、２次元平面図データと２次元断面図データを組み合わせることにより、建築物の３次元図面データを作成する。【選択図】図１
2009015782.tif 000002
【特許請求の範囲】
【請求項１】
設計対象の建築物の通り芯、階床及び階高の設定を受け付ける設定受付手段と、上記設定受付手段により設定が受け付けられた階床に対応する２次元平面図データを取り込む平面図データ取込手段と、上記設定受付手段により設定が受け付けられた階高に対応する２次元断面図データを取り込む断面図データ取込手段と、上記設定受付手段により設定が受け付けられた通り芯を基準にして、上記平面図データ取込手段により取り込まれた２次元平面図データと上記断面図データ取込手段により取り込まれた２次元断面図データを組み合わせることにより、建築物の３次元図面データを作成する３次元図面データ作成手段とを備えた３次元図面作成装置。
【請求項２】
平面図データ取込手段は、設定受付手段により設定が受け付けられた階床に対応する２次元平面図データの指定を受け付け、上記２次元平面図データの取込を行うことを特徴とする請求項１記載の３次元図面作成装置。
【請求項３】
断面図データ取込手段は、設定受付手段により設定が受け付けられた階高に対応する２次元断面図データの指定を受け付け、上記２次元断面図データの取込を行うことを特徴とする請求項１記載の３次元図面作成装置。
【請求項４】
設定受付手段が設計対象の建築物の通り芯、階床及び階高の設定を受け付ける設定受付ステップと、平面図データ取込手段が上記設定受付手段により設定が受け付けられた階床に対応する２次元平面図データを取り込む平面図データ取込ステップと、断面図データ取込手段が上記設定受付手段により設定が受け付けられた階高に対応する２次元断面図データを取り込む断面図データ取込ステップと、３次元図面データ作成手段が上記設定受付手段により設定が受け付けられた通り芯を基準にして、上記平面図データ取込手段により取り込まれた２次元平面図データと上記断面図データ取込手段により取り込まれた２次元断面図データを組み合わせることにより、建築物の３次元図面データを作成する３次元図面データ作成ステップとを備えた３次元図面作成方法。
【発明の詳細な説明】
【技術分野】
【０００１】
この発明は、建築物の２次元図面データを利用して、建築物の３次元図面データを作成する３次元図面作成装置及び３次元図面作成方法に関するものである。
【背景技術】
【０００２】
従来、建築物の３次元図面データを作成する場合、図面作成装置が建築物の２次元図面データを読み込み、ユーザが３次元空間における建築物の高さなどを考慮して、複数の２次元図面データの位置を合わせることにより作成するようにしている。
即ち、ユーザが建築物の２次元図面データにおける座標を３次元空間上の座標に設定し直すなどの作業を実施することにより、建築物の３次元図面データを作成する。
【０００３】
上記のようなユーザの手作業を自動化している３次元図面作成装置が以下の特許文献１に開示されている。
この３次元図面作成装置では、通り芯を基準にして、２次元平面図データから３次元図面データを作成するようにしている。
【０００４】
【特許文献１】特開平７−２３４８９２号公報（段落番号［００２０］、図２）
【発明の開示】
【発明が解決しようとする課題】
【０００５】
従来の３次元図面作成装置は以上のように構成されているので、２次元平面図データから３次元図面データを作成することができるが、２次元断面図データを用いずに３次元図面データが作成されるため、３次元空間における建築物の断面を正確に作図することができないことがあるなどの課題があった。
【０００６】
この発明は上記のような課題を解決するためになされたもので、建築物の断面も正確に作図することができる３次元図面作成装置及び３次元図面作成方法を得ることを目的とする。
【課題を解決するための手段】
【０００７】
この発明に係る３次元図面作成装置は、設定受付手段により設定が受け付けられた階床に対応する２次元平面図データを取り込む平面図データ取込手段と、設定受付手段により設定が受け付けられた階高に対応する２次元断面図データを取り込む断面図データ取込手段とを設け、３次元図面データ作成手段が設定受付手段により設定が受け付けられた通り芯を基準にして、平面図データ取込手段により取り込まれた２次元平面図データと断面図データ取込手段により取り込まれた２次元断面図データを組み合わせることにより、建築物の３次元図面データを作成するようにしたものである。
【発明の効果】
【０００８】
この発明によれば、設定受付手段により設定が受け付けられた階床に対応する２次元平面図データを取り込む平面図データ取込手段と、設定受付手段により設定が受け付けられた階高に対応する２次元断面図データを取り込む断面図データ取込手段とを設け、３次元図面データ作成手段が設定受付手段により設定が受け付けられた通り芯を基準にして、平面図データ取込手段により取り込まれた２次元平面図データと断面図データ取込手段により取り込まれた２次元断面図データを組み合わせることにより、建築物の３次元図面データを作成するように構成したので、建築物の断面も正確に作図することができる効果がある。
【発明を実施するための最良の形態】
【０００９】
実施の形態１．
図１はこの発明の実施の形態１による３次元図面作成装置を示す構成図であり、図において、通り芯・階床設定受付部１は例えばマウスやキーボードなどの入力装置と、ディスプレイなどの出力装置とから構成されているマンマシンインタフェースであり、設計対象の建築物の通り芯と階床の設定を受け付ける処理を実施する。
階高設定受付部２は例えばマウスやキーボードなどの入力装置と、ディスプレイなどの出力装置とから構成されているマンマシンインタフェースであり、設計対象の建築物の階高の設定を受け付ける処理を実施する。
なお、通り芯・階床設定受付部１及び階高設定受付部２から設定受付手段が構成されている。
【００１０】
２Ｄ平面図データ記憶部３は建築物における各階床の２次元平面図データを記憶しているメモリである。
２Ｄ断面図データ記憶部４は建築物における各階高の２次元断面図データを記憶しているメモリである。
【００１１】
２Ｄ平面図データ取込部５は２Ｄ平面図データ参照部６の指示の下、２Ｄ平面図データ記憶部３から通り芯・階床設定受付部１により設定が受け付けられた階床に対応する２次元平面図データの取込を行う。
２Ｄ平面図データ参照部６は各種の入力デバイスが取り付けられており、ユーザが２Ｄ平面図データ記憶部３に記憶されていない新規の２次元平面図データの利用を希望する場合、各種の入力デバイスの操作による新規の２次元平面図データの描画を受け付ける処理を実施する一方、ユーザが２Ｄ断面図データ記憶部４に記憶されている２次元断面図データの利用を希望する場合、ユーザが通り芯・階床設定受付部１を操作して、建築物の通り芯と階床を設定すると、その階床に対応する２次元平面図データの取込を２Ｄ平面図データ取込部５に指示する処理を実施する。
なお、２Ｄ平面図データ取込部５及び２Ｄ平面図データ参照部６から平面図データ取込手段が構成されている。
【００１２】
２Ｄ断面図データ取込部７は２Ｄ断面図データ参照部８の指示の下、２Ｄ断面図データ記憶部４から階高設定受付部２により設定が受け付けられた階高に対応する２次元断面図データの取込を行う。
２Ｄ断面図データ参照部８は各種の入力デバイスが取り付けられており、ユーザが２Ｄ断面図データ記憶部４に記憶されていない新規の２次元断面図データの利用を希望する場合、各種の入力デバイスの操作による新規の２次元断面図データの描画を受け付ける処理を実施する一方、ユーザが２Ｄ断面図データ記憶部４に記憶されている２次元断面図データの利用を希望する場合、ユーザが階高設定受付部２を操作して、建築物の階高を設定すると、その階高に対応する２次元断面図データの取込を２Ｄ断面図データ取込部７に指示する処理を実施する。
なお、２Ｄ断面図データ取込部７及び２Ｄ断面図データ参照部８から断面図データ取込手段が構成されている。
【００１３】
データ一時保存部９は２Ｄ平面図データ取込部５により取り込まれた２次元平面図データ（新規に描画された２次元平面図データを含む）、２Ｄ断面図データ取込部７により取り込まれた２次元断面図データ（新規に描画された２次元断面図データを含む）、通り芯・階床設定受付部１により設定が受け付けられた通り芯・階床、階高設定受付部２により設定が受け付けられた階高などのデータを一時的に保存するメモリである。
【００１４】
３Ｄ図面データ作成部１０は通り芯・階床設定受付部１により設定が受け付けられた通り芯を基準にして、２Ｄ平面図データ取込部５により取り込まれた２次元平面図データと２Ｄ断面図データ取込部７により取り込まれた２次元断面図データを組み合わせることにより、建築物の３次元図面データを作成する処理を実施する。なお、３Ｄ図面データ作成部１０は３次元図面データ作成手段を構成している。
３Ｄ図面データ記憶部１１は３Ｄ図面データ作成部１０により作成された建築物の３次元図面データを記憶するメモリである。
【００１５】
図１の例では、３次元図面作成装置の構成要素である２Ｄ平面図データ取込部５、２Ｄ平面図データ参照部６、２Ｄ断面図データ取込部７、２Ｄ断面図データ参照部８及び３Ｄ図面データ作成部１０が、それぞれ専用のハードウェア（例えば、ＣＰＵを実装している半導体集積回路基板）で構成されているものを想定しているが、３次元図面作成装置がコンピュータで構成される場合には、２Ｄ平面図データ取込部５、２Ｄ平面図データ参照部６、２Ｄ断面図データ取込部７、２Ｄ断面図データ参照部８及び３Ｄ図面データ作成部１０の処理内容を記述しているプログラムをコンピュータのメモリに格納し、当該コンピュータのＣＰＵが当該メモリに格納されているプログラムを実行するようにしてもよい。
図２はこの発明の実施の形態１による３次元図面作成装置の処理内容を示すフローチャートである。
【００１６】
次に動作について説明する。
建築物の２次元平面図データ及び２次元断面図データを利用して、建築物の３次元図面データを作成する場合、ユーザが通り芯・階床設定受付部１を操作して、各階床の２次元平面図データの位置決めに利用する通り芯を設定する（ステップＳＴ１）。通常、通り芯は、２方向設定する。
また、ユーザは、通り芯・階床設定受付部１を操作して、建築物の階床数を設定するとともに（ステップＳＴ２）、各階床の階床名を指定する（ステップＳＴ３）。
【００１７】
２Ｄ平面図データ参照部６は、ユーザが２Ｄ平面図データ記憶部３に記憶されていない新規の２次元平面図データの利用を希望する場合、各種の入力デバイスの操作による新規の２次元平面図データ（通り芯・階床設定受付部１により設定が受け付けられた各階床の２次元平面図データ）の描画を受け付ける処理を実施する。
一方、ユーザが２Ｄ平面図データ記憶部３に記憶されている２次元平面図データの利用を希望する場合、図３に示すように、通り芯・階床設定受付部１により設定が受け付けられた階床に対応する２次元平面図データの指定を受け付ける処理を実施する。
【００１８】
即ち、２Ｄ平面図データ参照部６は、図３に示すような画面をディスプレイに表示して、通り芯・階床設定受付部１により設定が受け付けられた階床に対応する２次元平面図データの図面ファイル名の指定を促すようにする。
図３の例では、建築物の階床数が“３”に設定されており、各階床の階床名として「外溝」、「１ＦＬ」、「２ＦＬ」が指定されているものを示している。
２Ｄ平面図データ参照部６は、例えば、階床名として、「２ＦＬ」が指定されている場合、２Ｄ平面図データ取込部５を介して、２Ｄ平面図データ記憶部３に記憶されている「２ＦＬ」の２次元平面図データ（例えば、実際に３次元図面データの作成に利用する２次元平面図データよりも簡易なサンプルデータ）をすべて取り込み、すべての２次元平面図データを図面ファイル名と一緒にディスプレイに表示することにより、ユーザが、３次元図面データの作成に利用する２次元平面図データの図面ファイル名を指定することができるようにしている。
【００１９】
２Ｄ平面図データ参照部６は、ユーザが３次元図面データの作成に利用する２次元平面図データの図面ファイル名を指定すると、その図面ファイル名を２Ｄ平面図データ取込部５に出力する。
２Ｄ平面図データ取込部５は、２Ｄ平面図データ参照部６から図面ファイル名を受けると、２Ｄ平面図データ記憶部３から当該図面ファイル名の２次元平面図データ（実際に３次元図面データの作成に利用する詳細な２次元平面図データ）を取り込み、その２次元平面図データを２Ｄ平面図データ参照部６に出力する（ステップＳＴ４）。
【００２０】
２Ｄ平面図データ参照部６は、２Ｄ平面図データ取込部５から階床に対応する２次元平面図データを受けると、その２次元平面図データを表示する。
なお、図４は外溝の２次元平面図を示す説明図であり、図５は１ＦＬの２次元平面図を示す説明図である。
また、図６は２ＦＬの２次元平面図を示す説明図である。
【００２１】
２Ｄ平面図データ参照部６は、ユーザが２次元平面図データを見て、その２次元平面図データを利用することに了承すれば、通り芯・階床設定受付部１により設定が受け付けられた通り芯を当該２次元平面図データに設定する（ステップＳＴ５）。
ステップＳＴ４，ＳＴ５の処理は、通り芯・階床設定受付部１により設定が受け付けられた階床数分だけ繰り返され、２Ｄ平面図データ参照部６により通り芯が設定された各階床の２次元平面図データがデータ一時保存部９に格納される。
【００２２】
次に、ユーザは、階高設定受付部２を操作して、建築物の階高を設定する（ステップＳＴ６）。
２Ｄ断面図データ参照部８は、ユーザが２Ｄ断面図データ記憶部４に記憶されていない新規の２次元断面図データの利用を希望する場合、各種の入力デバイスの操作による新規の２次元断面図データ（階高設定受付部２により設定が受け付けられた各階高の２次元断面図データ）の描画を受け付ける処理を実施する。
一方、ユーザが２Ｄ断面図データ記憶部４に記憶されている２次元断面図データの利用を希望する場合、図７に示すように、階高設定受付部２により設定が受け付けられた階高に対応する２次元断面図データの指定を受け付ける処理を実施する。
【００２３】
即ち、２Ｄ断面図データ参照部８は、図７に示すような画面をディスプレイに表示して、階高設定受付部２により設定が受け付けられた階高に対応する２次元断面図データの図面ファイル名の指定を促すようにする。
図７の例では、建築物の４方向の２次元断面図（正面図、左側面図、背面図、右側面図）の図面ファイル名の指定を促すものである。
２Ｄ断面図データ参照部８は、例えば、「左側面図」の図面ファイル名の指定の際には、２Ｄ断面図データ取込部７を介して、２Ｄ断面図データ記憶部４に記憶されている「左側面図」の２次元断面図データのうち、階高設定受付部２により設定が受け付けられた階高に対応する２次元断面図データ（例えば、実際に３次元図面データの作成に利用する２次元断面図データよりも簡易なサンプルデータ）をすべて取り込み、すべての２次元断面図データを図面ファイル名と一緒にディスプレイに表示することにより、ユーザが、３次元図面データの作成に利用する２次元断面図データの図面ファイル名を指定することができるようにしている。
【００２４】
２Ｄ断面図データ参照部８は、ユーザが３次元図面データの作成に利用する２次元断面図データの図面ファイル名を指定すると、その図面ファイル名を２Ｄ断面図データ取込部７に出力する。
２Ｄ断面図データ取込部７は、２Ｄ断面図データ参照部８から図面ファイル名を受けると、２Ｄ断面図データ記憶部４から当該図面ファイル名の２次元断面図データ（実際に３次元図面データの作成に利用する詳細な２次元断面図データ）を取り込み、その２次元断面図データを２Ｄ断面図データ参照部８に出力する（ステップＳＴ７）。
【００２５】
２Ｄ断面図データ参照部８は、２Ｄ断面図データ取込部７から２次元断面図データを受けると、その２次元断面図データを表示する。
なお、図８は建築物の正面図を示す説明図であり、図９は建築物の背面図を示す説明図である。
また、図１０は建築物の右側面図を示す説明図であり、図１１は建築物の左側面図を示す説明図である。
【００２６】
２Ｄ断面図データ参照部８は、ユーザが２次元断面図データを見て、その２次元断面図データを利用することに了承すれば、その２次元断面図データをデータ一時保存部９に格納する。
ステップＳＴ６，ＳＴ７の処理は、建築物の４方向分だけ繰り返され、４方向の２次元断面図データがデータ一時保存部９に格納される。
【００２７】
３Ｄ図面データ作成部１０は、データ一時保存部９から２Ｄ平面図データ参照部６により通り芯が設定されている各階床の２次元平面図データと、４方向の２次元断面図データとの取込を行う。
３Ｄ図面データ作成部１０は、各階床の２次元平面図データと、４方向の２次元断面図データを取り込むと、通り芯を基準にして、各階床の２次元平面図データと、４方向の２次元断面図データを組み合わせることにより、建築物の３次元図面データを作成する（ステップＳＴ８）。
【００２８】
即ち、３Ｄ図面データ作成部１０は、各階床の２次元平面図データについては、上下階でずれが生じないようにするために、設定されている通り芯を基準にして、平面上の位置決めを行う。
次に、３Ｄ図面データ作成部１０は、設定されている通り芯と階高を基準にして、各階床の２次元平面図データにおける線分要素と、４方向の２次元断面図データにおける線分要素とのつながりを検索し、つながりがある部分で、各階床の２次元平面図データと４方向の２次元断面図データを結合することにより、建築物の３次元図面データを作成する。
【００２９】
３Ｄ図面データ作成部１０は、建築物の３次元図面データを作成すると、図１２に示すように、その３次元図面データをディスプレイに表示する。
ユーザが３次元図面データを見て、その３次元図面データを了承すれば、３Ｄ図面データ作成部１０がその３次元図面データを３Ｄ図面データ記憶部１１に格納する。
【００３０】
以上で明らかなように、この実施の形態１によれば、通り芯・階床設定受付部１により設定が受け付けられた階床に対応する２次元平面図データを取り込む２Ｄ平面図データ取込部５と、階高設定受付部２により設定が受け付けられた階高に対応する２次元断面図データを取り込む２Ｄ断面図データ取込部７とを設け、３Ｄ図面データ作成部１０が通り芯・階床設定受付部１により設定が受け付けられた通り芯を基準にして、２Ｄ平面図データ取込部５により取り込まれた２次元平面図データと２Ｄ断面図データ取込部７により取り込まれた２次元断面図データを組み合わせることにより、建築物の３次元図面データを作成するように構成したので、建築物の断面も正確に作図することができる効果を奏する。
【００３１】
また、この実施の形態１によれば、２Ｄ平面図データ参照部６が通り芯・階床設定受付部１により設定が受け付けられた階床に対応する２次元平面図データの指定を受け付け、２Ｄ平面図データ取込部５を介して、２次元平面図データの取込を行うように構成したので、既に作成されている２次元平面図データを効率的に利用することができる効果を奏する。
【００３２】
また、この実施の形態１によれば、２Ｄ断面図データ参照部８が階高設定受付部２により設定が受け付けられた階高に対応する２次元断面図データの指定を受け付け、２Ｄ断面図データ取込部７を介して、２次元断面図データの取込を行うように構成したので、既に作成されている２次元断面図データを効率的に利用することができる効果を奏する。
【００３３】
なお、この実施の形態１では、３Ｄ図面データ作成部１０が通り芯を基準にして、各階床の２次元平面図データと、４方向の２次元断面図データを組み合わせることにより、建築物の３次元図面データを作成するものについて示したが、その２次元平面図データと２次元断面図データ間の整合性をチェックし（例えば、各階床の２次元平面図データにおける線分要素と、４方向の２次元断面図データにおける線分要素とのつながりを検索し、つながりがある部分が建築条件と矛盾していなかなどをチェックする）、整合性が認められない場合には、２次元平面図データや２次元断面図データの再取込を促すようにしてもよい。
【図面の簡単な説明】
【００３４】
【図１】この発明の実施の形態１による３次元図面作成装置を示す構成図である。
【図２】この発明の実施の形態１による３次元図面作成装置の処理内容を示すフローチャートである。
【図３】階床に対応する２次元平面図データの図面ファイル名の指定を受け付ける画面を示す説明図である。
【図４】外溝の２次元平面図を示す説明図である。
【図５】１ＦＬの２次元平面図を示す説明図である。
【図６】２ＦＬの２次元平面図を示す説明図である。
【図７】階高に対応する２次元断面図データの図面ファイル名の指定を受け付ける画面を示す説明図である。
【図８】建築物の正面図を示す説明図である。
【図９】建築物の背面図を示す説明図である。
【図１０】建築物の右側面図を示す説明図である。
【図１１】建築物の左側面図を示す説明図である。
【図１２】建築物の３次元図面データを示す説明図である。
【符号の説明】
【００３５】
１  通り芯・階床設定受付部（設定受付手段）、２  階高設定受付部（設定受付手段）、３  ２Ｄ平面図データ記憶部、４  ２Ｄ断面図データ記憶部、５  ２Ｄ平面図データ取込部（平面図データ取込手段）、６  ２Ｄ平面図データ参照部（平面図データ取込手段）、７  ２Ｄ断面図データ取込部（断面図データ取込手段）、８  ２Ｄ断面図データ参照部（断面図データ取込手段）、９  データ一時保存部、１０  ３Ｄ図面データ作成部（３次元図面データ作成手段）、１１  ３Ｄ図面データ記憶部。
【図１】
2009015782.tif 000003
【図２】
2009015782.tif 000004
【図３】
2009015782.tif 000005
【図４】
2009015782.tif 000006
【図５】
2009015782.tif 000007
【図６】
2009015782.tif 000008
【図７】
2009015782.tif 000009
【図８】
2009015782.tif 000010
【図９】
2009015782.tif 000011
【図１０】
2009015782.tif 000012
【図１１】
2009015782.tif 000013
【図１２】
2009015782.tif 000014